(57)【要約】      （修正有）【課題】定常時は天然木材としての外観を呈していながら、光源点灯時にはケーシングに所定文字の光文字を出現させることのできる化粧板材を提供する。【解決手段】化粧板材は、発光モジュール５を収容する収容室６が木材製のケーシング２内に形成され、収容室６の前側内壁７にケーシング２の前外面３Ａに向かって陥入する薄肉部８が削成され、この薄肉部８は、発光モジュール５から発せられた光が透過可能な厚さＴに、且つ、ケーシング２の背方から視て所定文字の左右反転形状に形成されている。発光モジュール５は、収容室６の前側内壁７における薄肉部８の近傍位置に取り付けられた発光ダイオードである。【選択図】図３
0003230395.tif 000002
【実用新案登録請求の範囲】
【請求項１】
光源を収容する収容室が木材製のケーシング内に形成され、前記収容室の前側内壁に前記ケーシングの前外面に向かって陥入する薄肉部が削成され、当該薄肉部は、前記光源から発せられた光が透過可能な厚さに、且つ、前記ケーシングの背方から視て所定文字の左右反転形状に形成されていることを特徴とする化粧板材。
【請求項２】
前記光源が、前記収容室における前記薄肉部の近傍位置に取り付けられた発光ダイオードであることを特徴とする請求項１に記載の化粧板材。
【請求項３】
前記光源が白色光を発する発光ダイオードであるとともに前記木材が檜の無垢材であることを特徴とする請求項１または請求項２に記載の化粧板材。
【請求項４】
前記ケーシングが製材時に副生した端材であることを特徴とする請求項１から請求項３のいずれか一項に記載の化粧板材。
【考案の詳細な説明】
【技術分野】
【０００１】
本考案は、木材製ケーシング内の収容室に収容された光源が発光する板材であって、建材などにして使用される化粧板材に関するものである。
【背景技術】
【０００２】
従来、この種の化粧板材としては、下記の特許文献１に記載されたものが知られている。その化粧板材は、板材本体の前面に後向きに陥入した収納室が削成され、収納室内にＬＥＤモジュールが収納され、収納室の前面開口が透光性のある樹脂カバーで蓋止されたものである。
この化粧板材は壁下部に設置される巾木の一部として用いられ、ＬＥＤモジュールの点灯によって樹脂カバー全体が光り、利用者の足元を照らすようになっている。
【先行技術文献】
【特許文献】
【０００３】
【特許文献１】登録実用新案第３１８０５６４号公報
【考案の概要】
【考案が解決しようとする課題】
【０００４】
しかしながら、前記した従来の化粧板材は、足元を照らす働きをするが文字などを表示できないので、案内板、指示板あるいは表札などの機能は果たせない。また、樹脂カバーが見た目で人工物であるとわかりやすいので、天然物である板材本体との間に質感の差を生じて、趣きを感じさせないものであった。
【０００５】
本考案は、上記した従来の問題点に鑑みてなされたものであって、定常時は天然木材としての外観を呈していながら、光源点灯時にはケーシングに所定文字の光文字を出現させることのできる化粧板材の提供を目的とする。
【課題を解決するための手段】
【０００６】
上記目的を達成するために、本考案に係る化粧板材は、光源を収容する収容室が木材製のケーシング内に形成され、収容室の前側内壁にケーシングの前外面に向かって陥入する薄肉部が削成され、当該薄肉部は、光源から発せられた光が透過可能な厚さに、且つ、ケーシングの背方から視て所定文字の左右反転形状に形成されていることを特徴とする構成にしてある。
【０００７】
また、前記構成において、光源が、収容室の前側内壁における薄肉部の近傍位置に取り付けられた発光ダイオードであることを特徴とするものである。
【０００８】
そして、前記した各構成において、光源が白色光を発する発光ダイオードであるとともに木材が檜の無垢材であることを特徴とするものである。
【０００９】
更に、前記した各構成において、ケーシングが製材時に副生した端材であることを特徴とするものである。
【考案の効果】
【００１０】
本考案に係る化粧板材は、光源非点灯時には外面に木目のみが表れた木材製品の外観を呈し、天然物としての温かみを利用者に与える。そして、光源点灯時には光源からケーシングの収容室内に発せられた光が薄肉部を透過し所定文字の光文字となってケーシングの前面に現れる。従って、木材製品と思っていたケーシングに点灯により所定文字の光文字が出現するので、利用者に予想外の驚きと面白さを醸し出すことができる。
【００１１】
また、光源が発光ダイオードであり、その発光ダイオードが収容室の前側内壁における薄肉部の近傍位置に取り付けられているものでは、光源から発せられた光が最短距離で反射して薄肉部に到達したり光源から直に薄肉部に到達したりするので収容室内での光量低下を生じにくいから、大出力の光源を使用する必要がなく、発光ダイオードのように小出力で昇温の少ない光源であっても、好ましく使用することができる。
【００１２】
そして、光源が白色光を発する発光ダイオードであるとともに木材が檜の無垢材であるものでは、発光ダイオードから収容室内に発せられた白色光が檜製の薄肉部を透過するときに、オイルランプのような橙色光に変わってケーシングの前方へ発せられる。従って、温かみがあり且つはっきりとした橙色光の所定文字を表示させることができる。
【００１３】
更に、ケーシングが製材時に副生した端材であるものでは、貴重で高価な樹種の木材でありながら現状では多量に廃棄されている端材をも、無駄にすることなく有効に活用することができる。
【図面の簡単な説明】
【００１４】
【図１】本考案の一実施形態に係る化粧板材を示す図であって、（ａ）は全体斜視図、（ｂ）は化粧板材のケーシング本体の背面図である。
【図２】前記ケーシング本体の収容室に発光モジュールを取り付けた態様を示す背面図である。
【図３】前記化粧板材の一部破断した平断面図である。
【図４】前記化粧板材に用いられる発光モジュールを含む概略回路図である。
【図５】前記化粧板材の正面図であって、（ａ）は発光モジュールを点灯させていない状態を示す図、（ｂ）は発光モジュールを点灯させた状態を示した図である。
【図６】図５（ｂ）に示した化粧板材に対応した写真の図である。
【図７】本考案の別の実施形態に係る化粧板材を示す正面図である。
【考案を実施するための形態】
【００１５】
以下、本考案の実施形態を図面に基づいて説明する。尚、以下に述べる実施形態は本考案を具体化した一例に過ぎず、本考案の技術的範囲を限定するものでない。ここに、図１は本考案の一実施形態に係る化粧板材を示す図であって、（ａ）は全体斜視図、（ｂ）は化粧板材のケーシング本体の背面図、図２は前記ケーシング本体の収容室に発光モジュールを取り付けた態様を示す背面図、図３は前記化粧板材の一部破断した平断面図である。
各図において、この実施形態に係る化粧板材１は、発光ダイオード（ＬＥＤ：光源の例）５０を収容する収容室６を有するケーシング２を備えている。ケーシング２は、背外面３から前外面３Ａに向けて刳り抜かれた陥入部分を有する正面視矩形状のケーシング本体３と、ケーシング本体３の背面開口を蓋止して前記の陥入部分を密閉する裏蓋体４と、から構成されている。すなわち、裏蓋体４により蓋止されて密閉されたケーシング本体３の陥入部分が、収容室６となっている。収容室６の密閉状態という意味は、気密程度まで要求されるものでなく、ケーシング２から光が漏れない程度であればよい。図中符号３Ｄはケーシング本体３の前外面３Ａの周囲に形成された段状飾りである。
【００１６】
ケーシング本体３において、収容室６の深さＷ（図３参照）は９ｍｍ程度である。裏蓋体４は、ケーシング本体３の後外面３Ｂに刻設された段部３Ｃに嵌装されビス穴１２にビス止めされることにより、ケーシング本体３に固定される。これらのケーシング本体３および裏蓋体４として、ここでは例えば檜の無垢材であり材木製材時に副生した端材が使用されている。収容室６の前側内壁７と前外面３Ａとの間は、奥行き方向の厚さＶが８ｍｍ程度の厚肉部１４となっている。厚肉部１４は光を前方へ透過させない厚さＶ≧例えば５ｍｍとすることが望ましい。厚肉部１４には、ケーシング本体３の前側内壁７が前向きに削成されることにより前外面３Ａに向かって陥入した刻削空間９，９，９，・・・が形成され、これらの最奥部が薄肉部８，８，８，・・・となっている。各薄肉部８は、発光モジュール５から発せられた光が前向きに透過可能な厚さＴ（ここでは例えば１ｍｍ）に形成されている。光が透過可能な薄肉部８の厚さＴは使用する木材種および光源の光強度の組み合わせにより異なるが、ここで用いた檜および２６個並列の発光モジュール５（モジュール１個当たり０．７Ｗ）の場合、厚さＴ≦３ｍｍとすることが望ましい。また、薄肉部８は、ケーシング本体３の背方から視て所定文字（ここでは、漢字の「令」と「和」）の左右反転形状に形成されている。このような形状の輪郭は、それぞれの薄肉部８と厚肉部１４との境界線１３により顕著に表される。前記したような収容室６、刻削空間９、薄肉部８は、例えば汎用のＮＣ中ぐり盤を用いて寸法精度よく精密に削成される。
【００１７】
ケーシング２の収容室６内の前側内壁７には、複数（この例では２６個）の発光モジュール５，５，５，・・・が、例えば接着剤などで固着されている。この場合、発光モジュール５，５，５，・・・は、「令和」を表した薄肉部８の近傍位置であって厚肉部１４の前側内壁７に取り付けられている。各発光モジュール５は、図４に示すように、電線４７，４８に対し並列に接続されて白色発光を行なう発光ダイオード（ＬＥＤ：光源の例）５０，５０と、発光ダイオード５０，５０に対して直列に接続された例えば３００Ωの抵抗器４９と、これらを支持固定する基板（図示省略）と、から構成されている。尚、各発光ダイオード５０は、赤色光、緑色光および青色光の各光強度を調整されて数百万色の色調を出力可能なＬＥＤ発光素子であるが、ここでは白色光を出力するように調整されている。各発光モジュール５は、電力線、アース線および信号線をつなぐコネクタやコンデンサ１４などを備えているがいずれも汎用構成であるために、ここでは省略する。２６個の発光モジュール５，５，５，・・・と接続されている電線４７，４８は一体の直流コード４６として、裏蓋板４のコード用孔４Ｂから外方へ取り出されてＡＤ変換器１０の出力側に接続される。ＡＤ変換器１０の入力側には交流電線１１が接続される。
【００１８】
上記のように構成された化粧板材１の作用を次に説明する。まず、光源非点灯時にはケーシング２全体に木目が表れて天然物としての温かみを利用者に与える。特に、ケーシング２の前外面３Ａは、図５（ａ）に示すように、全体に木目のみが美しく表れている。そこで、この化粧板材１に電源が入電されると、各発光モジュール５の発光ダイオード５０，５０が白色光を収容室６内に発する。そして、発せられた白色光は、ケーシング本体３の内周壁、前側内壁７または裏蓋体４の内面４Ａで反射して刻削空間９内に入射したり、発光ダイオード５０，５０から直に近隣の刻削空間９内に飛び込んだりして、それぞれの薄肉部８，８，８，・・・に至る。このように至った白色光は檜製の薄肉部８，８，８，・・・を透過するときに、オイルランプのような橙色光に変わってケーシング２の前方へ発せられる。これにより、ケーシング２の前外面３Ａに、図５（ｂ）に示すように、光量が大きく温かみがある橙色の「令和」の光文字が出現する。図５（ｂ）に対応した化粧板材１の正面状態の写真を図６に示すが、前記の光文字は、薄肉部８と厚肉部１４との境界線１３を輪郭として、くっきりと表れていることが分かる。また、光文字を表わす薄肉部８がケーシング２からの光出射位置の最も近くにあることも、くっきりした光文字の形成に寄与している。
【００１９】
上記したように、この実施形態の化粧板材１によれば、光源非点灯時にはケーシング２の前外面３Ａ全体に木目のみが美しく表れて、天然物としての温かみを利用者に与える。そして、光源点灯時には発光モジュール５，５，５，・・・からケーシング２の収容室６内に発せられた光が薄肉部８，８，８，・・・８を透過し令和の光文字となってケーシング２の前外面３Ａに現れる。従って、木材製品と思っていたケーシング２が発光モジュール５，５，５，・・・の点灯により令和の光文字を前外面３Ａに出現させるので、利用者に予想外の驚きと面白さを覚えさせる。この令和の光文字は昼夜を問わず、くっきりした輪郭で明るく輝く。すなわち、この実施形態に係る化粧板材１は、案内板、指示板、表札その他の板材として好適である。
【００２０】
また、この化粧板材１では、発光モジュール５，５，５，・・・が収容室６の前側内壁７における刻削空間９，９，９，・・・の近傍位置に取り付けられているので、発光モジュール５，５，５，・・・から発せられた光は収容室６内で最短距離に反射して薄肉部８，８，８，・・・に到達したり発光モジュール５，５，５，・・・から直に薄肉部８，８，８，・・・に到達したりする。従って、収容室６内での光量低下を生じにくい。そのために、大出力の光源を使用する必要がなく、発光ダイオード５０のような小出力の光源であっても使用できている。
【００２１】
そして、ケーシング２のケーシング本体３および裏蓋体４は製材時に副生した端材を用いているので、貴重で高価な檜材でありながら現状では多量に廃棄されている端材を、無駄にすることなく有効活用できる。これにより、和歌山県内の木材産業振興の一助として貢献することができる。
【００２２】
また、ＡＤ変換器１０から直流コード４６に供給される電源は直流１２Ｖであるので、利用者が触れたとしても不快な感電を受けることがない。そして、発光モジュール５，５，５，・・・の消費電力も比較的小さく、ケーシング２の収容室６内が昇温し過ぎるおそれもない。
【００２３】
尚、上記の実施形態では、所定文字として「令和」を例示したが、本考案はそれに限定されるものでない。例えば、図７に示すような化粧板材１ａも本考案に含まれる。この化粧板材１ａは、既述した化粧板材１と同様の構成を採用している。そして、この化粧板材１ａのケーシング２を構成するケーシング本体３ａでは、所定文字としての「いらっしゃいませ」を、背方から視て左右反転形状にした刻削空間９ａ，９ａ，９ａ，・・・が収容室６内の厚肉部１４ａに削成されている。刻削空間９ａ，９ａ，９ａ，・・・の前端には薄肉部８ａ，８ａ，８ａ，・・・が形成されている。このような化粧板材１ａでは、利用者が近づいて入切ボタンを押すと、発光モジュール５，５，５，・・・が点灯して、ケーシング本体３ａの前外面３Ａに「いらっしゃいませ」の光文字が現われて利用者のおもてなしをする。
【００２４】
因みに、上記した「令和」や「いらっしゃいませ」以外に、「こんにちは」、「こちらへどうぞ」、「入場禁止」その他の所定文字を現した光文字を光らせるようにしても構わない。また、人体検知センサーも用いることにより利用者の接近・離間を自動的に感知して、光源を点灯させたり消灯させたりするのも面白い。
【００２５】
また、上記では、光源として発光ダイオードを用いた例を示したが、本考案の光源としては発光ダイオード以外に、電球、蛍光灯などでも構わない。
そして、上記では、木材種として、削成した薄肉部が光を透過可能な材質であれば特に限定されない。例えば、檜材以外に杉材、ケヤキ材、ヒバ材などの無垢材を用いてもよい。
また、上記では、ケーシングとして正面視で矩形のものを例示したが、それに限らず、例えば円形、楕円形、正方形その他の多角形などのものを採用してもよい。
【００２６】
一方で、全ての刻削空間９を収容室６から前外面３Ａまで貫通させるとともに、薄肉部８，８ａの替わりに、例えば１ｍｍ厚の檜の薄箔板をケーシング本体３の前外面３Ａの全面に接着剤で貼り合わせたような構成の化粧板材を考えることもできる。しかしながら、そのような構成の化粧板材では、ケーシング本体３と薄箔板との貼合わせ位置が利用者に気付かれやすく趣きを削がれやすい。また、貼合わせ前部品としての薄箔板は、保管中に著しく反ったり破損したりしやすく保管が難しいという難点がある。
【００２７】
また、多数の発光ダイオードを組み合わせて文字の形に配列させたユニットをケーシングの背部に配備し、これら多数の発光ダイオードから発せられた光文字をケーシング前面の表示面で表わすようにした化粧板材も考えられる。しかしながら、このような化粧板材は、ユニットから表示面までに距離があるために、表示面から表わされる光文字の輪郭がくっきりしなくなる。
【００２８】
本考案は、上記した実施の形態に限定されるものでない。すなわち、本考案の分野における通常の知識を有する者であれば想到し得る、各種変形、修正を含む、本考案の要旨を逸脱しない範囲の設計変更があっても、本考案に含まれることは言うまでもない。
【符号の説明】
【００２９】
１，１ａ  化粧板材
２    ケーシング
３，３ａ  ケーシング本体
３Ａ  前外面
４    裏蓋体
５    発光モジュール
６    収容室
７    前側内壁
８，８ａ  薄肉部
９，９ａ  刻削空間
５０  発光ダイオード（光源）
Ｔ  厚さ
【図１】
0003230395.tif 000003
【図２】
0003230395.tif 000004
【図３】
0003230395.tif 000005
【図４】
0003230395.tif 000006
【図５】
0003230395.tif 000007
【図６】
0003230395.tif 000008
【図７】
0003230395.tif 000009